(57)【要約】      （修正有）【課題】様々なメガネの形状に対応でき、且つ、軽量で弾力性の有る材料により顔面とメガネとの隙間から光が入り込むことを防止することを目的とする遮光用メガネを提供する。【解決手段】メガネの左右のテンプル部２，３及び左右の鼻パッド部を除いたリム部６，７の顔面側となる内側に、リム部より直交方向又はほぼ直交方向に連続突出したリム部と一体化した軽量で弾力性を有する遮光部８，９を設けたことを特徴とする。【選択図】図２
0003193829.tif 000002
【実用新案登録請求の範囲】
【請求項１】
メガネの左右のテンプル部及び左右の鼻パッド部を除いたリム部の顔面側となる内側に、該リム部より直交方向又はほぼ直交方向に連続突出したリム部と一体化した軽量で弾力性を有する遮光部を設けたことを特徴とする遮光用メガネ。
【請求項２】
遮光部は、その突出側先端部の一部を個人差に合わせることができるように突出調整可能な材料としたことを特徴とする請求項１記載の遮光用メガネ。
【請求項３】
遮光部を軽量で弾力性の有る織物又は不織布で形成したことを特徴とする請求項１又は２記載の遮光用メガネ。
【請求項４】
遮光部を軽量で弾力性の有る合成樹脂としたことを特徴とする請求項１又は２記載の遮光用メガネ。
【請求項５】
軽量で弾力性の有る合成樹脂をオレフィン系エラストマーとしたことを特徴とする請求項４記載の遮光用メガネ。
【考案の詳細な説明】
【技術分野】
【０００１】
本考案は、メガネの装着時に、顔面とメガネとの隙間から太陽光や照明光或いはそれらの反射光等が目に入り込むのを防止することを目的とするものである。
【背景技術】
【０００２】
近年、高齢化人口が増加すると同時に、加齢黄斑変性症、白内障等の目の疾患患者が急増している。これは高齢化が一因であるが、地球環境の変化により強い太陽光を直接又は間接的に受け入れざるを得ない機会が増加したこと、通常の照明器具やＬＥＤ等からの光が必要以上の明るさで目に入り込む機会も増加したことが大きな要因とされている。
【０００３】
上記要因により、通常の太陽光や照明光等に接しても必要以上にまぶしく、苦痛を感じる高齢者が増加している。
【０００４】
そのことを避けるために、サングラスや他の遮光メガネを使用し、レンズ部から眼球側に太陽光や照明光等が入り込むことを防止しているが、顔面とメガネとの隙間からそれらの光が入り込み、目に悪影響を与えていた。
【０００５】
他方、下記する特許文献１は、リム部の内側を厚く形成し或いはリム部と同様の材料のものをリム部の内側にロウ付けで取り付けたものであるが、これではリム部が重くなり、高齢者にとっては従前のものと比較して装着感が全く異なり、且つ、重さが気になるものであった。
【０００６】
また、メガネのリム部の形状には様々なものがあり、そのリム部の形状に合うようなものを用意するとなると極めて多数の異なるものを製造しなければならないという欠点があり、また、既存のメガネに使用することは不可能であった。更に、リム部と顔面との隙間には個人差が有り、その個人差に基づく隙間相違に対応することもできなかった。
【先行技術文献】
【特許文献】
【０００７】
【特許文献１】特開２０１１−１４５３５６号公報
【考案の概要】
【考案が解決しようとする課題】
【０００８】
本考案は、様々なメガネの形状に対応でき、且つ、軽量で弾力性の有る材料により顔面とメガネとの隙間から光が入り込むことを防止することを目的とする遮光用メガネを提供するものである。
【課題を解決するための手段】
【０００９】
本考案は、メガネの左右のテンプル部及び左右の鼻パッド部を除いたリム部の顔面側となる内側に、該リム部より直交方向又はほぼ直交方向に連続突出したリム部と一体化した軽量で弾力性を有する遮光部を設けた遮光用メガネを特徴とする。
【００１０】
また、遮光部は、その突出側先端部の一部を個人差に合わせることができるように突出調整可能な材料とした遮光用メガネを特徴とする。
【００１１】
更に、遮光部を軽量で弾力性の有る織物又は不織布で形成した遮光用メガネを特徴とする。
【００１２】
また、遮光部を軽量で弾力性の有る合成樹脂とした遮光用メガネを特徴とする。
【００１３】
更に、軽量で弾力性の有る合成樹脂をオレフィン系エラストマーとした遮光用メガネを特徴とする。
【考案の効果】
【００１４】
本考案の遮光用メガネは、レンズ部での遮光以外に、顔面とメガネとの隙間から太陽光や照明光等がメガネ内側に入ることを防止し、白内障等の予防をすることが可能となった。
【００１５】
また、ゴーグルや他の花粉対策用のメガネ等の顔面に密着するタイプのメガネと異なり、通常のメガネと同様な装着感が得られる軽量で、熱がこもることがなく、且つ、外観上、遮光部が目立つことなく、抵抗なく使用でき、通常のメガネやサングラス等と同様に使用することが可能となった。
【００１６】
更に、顔面の個人差やメガネの種類等により遮光部の突出高が異なることがあり、その場合、必要に応じて顔面側の遮光部の突出長を簡単に調整することができ、該遮光部が顔面に密着するわずらわしさを避けることができ、各個人に合うように突出高を適宜調整することが可能となった。
【００１７】
また、遮光部はリム部に、そのリム部の形状に合うように後付けすることができるので、既存のメガネを含め様々な形状のメガネに対応することが可能となった。
【図面の簡単な説明】
【００１８】
【図１】本考案の遮光用メガネの内側正面図。
【図２】同遮光用メガネの平面図。
【図３】同遮光用メガネの斜視図。
【考案を実施するための形態】
【００１９】
以下、図面に基づいて本考案の実施例を説明する。
【実施例１】
【００２０】
図１は、メガネの左右のテンプル部２、３を開放した状態の本考案の遮光用メガネ１の内側の正面図を示し、該遮光用メガネ１は、左右のテンプル部２、３、左右の鼻パッド部４、５、メガネレンズを囲繞して固定する左右のリム部６、７及び該リム部６、７より内側方向へ突出した左右の遮光部８、９とより構成している。
【００２１】
該遮光部８、９は、該リム部６、７より顔面側となる内側方向へ該リム部６、７に対して直交方向又はほぼ直交方向に突出した軽量で弾力性の有る材料よりなり、該リム部６、７と一体成形することなく、その内側表面と接着、溶着、嵌着、係着等の固定手段により一体化している。着脱自在となる固定手段が最適である。
【００２２】
また、該遮光部８、９は、リム部６、７の内、上リム部６ａ、７ａにあっては左テンプル部２のヒンジ部となる上側基端部位置から右テンプル部３の上側基端部位置まで該上下リム部６ａ、７ａのリムの形状或いは中央部のリム部が存在しないメガネにあっては左右のリム部６ａ、７ａ間に沿って連続一体形成され、左側下リム部６ｂにあっては左テンプル部２の下側基端部から左鼻パッド部４の下側基端部まで該下リム部６ｂのリムの形状に沿って連続一体形成され、右側下リム部７ｂにあっては右テンプル部３の下側基端部から右鼻パッド部５の下側基端部まで該下リム部７ｂのリムの形状に沿って連続一体形成されている。
【００２３】
該遮光部８、９は、軽量で弾力性を有する材料が選択され、顔面に微接触するか接触せずに近接する状態でリム部６、７から突出させる。各個人によりメガネの形状やメガネと顔面との隙間寸法が異なるため該遮光部８、９は、必要に応じてその先端部側を溶解や切断等の適宜手段により、各個人に合うように調整することができる。該遮光部８、９の材料としては、直交方向に突出可能な腰の有る織物又は不織布或いはそれらに類似した軽量で弾力性の有る材料が使用される。
【００２４】
また、ゴム系又はそれらに類似した軽量で弾力性の有る合成樹脂が使用される。
【００２５】
更に、軽量で弾力性の有る合成樹脂として、オレフィン系エラストマー（ＴＰＯ）が特に最適な材料である。該オレフィン系エラストマー（ＴＰＯ）は、塩化ビニール系或いはスチレン系とともに三大熱可塑性エラストマーであり、ポリプロピレン（ＰＰ）中に、エチレン−プロピレンゴム（ＥＰＤＭ、ＥＰＭ）を微分散させた熱可塑性エラストマーである。従って、オレフィン系エラストマー（ＴＰＯ）は、常温では弾性体で、ゴム系の性質を有しながら、一般的な合成樹脂と同様、成形加工の可能な材料である。
【符号の説明】
【００２６】
１                    遮光用メガネ
２、３                テンプル部
４、５                鼻パッド部
６、７                リム部
８、９                遮光部
【図１】
0003193829.tif 000003
【図２】
0003193829.tif 000004
【図３】
0003193829.tif 000005